(57)【要約】      （修正有）【課題】尿道上に施術しながらも、排尿などにより滑って最初施術位置から逸脱しない前立腺肥大症患者用ステントを提供する。【解決手段】形状記憶合金ワイヤーで網目状に構成して使用されるステントであって、第１ステント１１と、第２ステント１２と、第１ステント１１と第２ステント１２とを一定の間隔を開けて互いに連結する少なくとも１本の縫合糸１９とを含んでなる。第１ステント１１は前立腺が位置している尿道上に位置するように、縫合糸１９は尿道の中間に位置している括約筋上に位置するように、第２ステント１２は括約筋の下方に位置している尿道上に位置するように施術することにより、ステントが尿道の上方または下方に移動しないようにすることができる。【選択図】図３
2012125562.tif 000002
【特許請求の範囲】
【請求項１】
形状記憶合金ワイヤーで網目状に構成して前立腺肥大症患者に使用されるステントにおいて、
第１ステントと、
第２ステントと、
前記第１ステントと前記第２ステントとを一定の間隔を開けて互いに連結する少なくとも１本の縫合糸とを含んでなることを特徴とする、前立腺肥大症患者用ステント。
【請求項２】
前記第１ステントは尿道括約筋が位置している尿道の上方に位置し、前記第２ステントは尿道括約筋が位置している尿道の下方に位置し、前記縫合糸は尿道括約筋が位置している尿道に位置することを特徴とする、請求項１に記載の前立腺肥大症患者用ステント。
【請求項３】
前記第１ステントおよび前記第２ステントは、外周面または内周面に、人体に無害なシリコンまたはＰＴＦＥからなる被膜層を持つことを特徴とする、請求項１に記載の前立腺肥大症患者用ステント。
【請求項４】
前記第１ステントと前記第２ステントとを連結する縫合糸は、人体に無害なもので、尿による溶解または化学的変性が生じない金属ワイヤーであることを特徴とする、請求項１〜３のいずれか１項に記載の前立腺肥大症患者用ステント。
【発明の詳細な説明】
【技術分野】
【０００１】
本発明は、前立腺肥大症患者用ステントに係り、さらに詳しくは、前立腺肥大症により尿道が圧迫されて排尿に不便さを感じる前立腺肥大症患者に施術するための前立腺肥大症患者用ステントに関する。
【背景技術】
【０００２】
従来から、前立腺肥大により狭くなった尿道を拡張するために尿道上に尿道用ステント１または尿道拡張用チューブ３を施術してきている。
すなわち、尿道用ステント１の場合は、表面にシリコン１４などを被覆した後、これを尿道２上に施術し、前立腺７の肥大により狭くなった尿道２を拡張して楽な排尿を可能としている。
ところが、この種の尿道用ステント１は、尿道２上に施術されるため、排尿の際に滑り或いは上方に滑り上がって膀胱６上に移動するなど、最初施術時の位置から逸脱するという問題点がある。
かかる問題点を解決するために、図２に示すような尿道拡張用チューブ３が施術されている。
この尿道拡張用チューブは、中空式チューブ４の中央に拡張部を構成してなるものであって、前記拡張部５が膀胱６と尿道２との間に位置するように施術することで、前記拡張部５によって、排尿しても尿道側２に押し寄せられないようにしている。
ところが、この種の尿道拡張用チューブ３の場合は、前述したように前記拡張部５が膀胱６上に位置するため、膀胱６の異物感を与えるうえ、前記中空式チューブ４に設けられた排尿孔８が上部に位置しており、該排尿孔８から尿が中空式チューブ４を介して出てくるようにしているため、常に残尿が発生し或いは残尿感をもたらすという問題点がある。さらに、前記尿道拡張用チューブ３は、チューブの内腔があまり狭くて詰まりやすいという問題点もある。
【発明の概要】
【発明が解決しようとする課題】
【０００３】
本発明は、かかる問題点を解決するためのもので、その目的は、ステントまたは被覆ステントを尿道上に施術しながらも、排尿などにより滑って最初施術位置から逸脱しないようにすることにある。
【課題を解決するための手段】
【０００４】
上記目的を達成するために、本発明によれば、形状記憶合金ワイヤーで第１ステントと第２ステントを構成し、前記第１ステントと前記第２ステントとを少なくとも１本の縫合糸で互いに連結してなる、前立腺肥大症患者用ステントを提供する。前記第１ステントは前立腺が位置している尿道上に位置するように、前記縫合糸は尿道の中間に位置している括約筋上に位置するように、前記第２ステントは前記括約筋の下方に位置している尿道上に位置するように施術することにより、本発明のステントが尿道の上方または下方に移動しないようにすることを可能とした。
【発明の効果】
【０００５】
本発明に係るステントによれば、尿道上に施術し、前立腺が肥大して狭くなった尿道を拡張してスムーズな排尿を可能にするとともに、尿などの外力により最初施術位置から逸脱することがないという効果を持つ。
【図面の簡単な説明】
【０００６】
【図１】従来の前立腺肥大症患者に施術したステントおよび尿道拡張用チューブの施術状態図である。
【図２】従来の前立腺肥大症患者に施術したステントおよび尿道拡張用チューブの施術状態図である。
【図３】本発明の前立腺肥大症患者用ステントの一実施例を示す図である。
【図４】本発明の前立腺肥大症患者用ステントの他の実施例を示す図である。
【図５】本発明の施術状態および作用状態図である。
【発明を実施するための形態】
【０００７】
以下に添付図面を参照しながら、本発明をさらに詳しく説明する。
本発明は、図３に示すように、形状記憶合金ワイヤーでできた網目構造の筒状の第１ステント１１と第２ステント１２とを一定の間隔を開けて少なくとも１本の縫合糸１９で互いに連結してなる、前立腺肥大症患者用ステント１３を提供する。
未説明符号５０は、本発明の前立腺肥大症患者用ステント１３を施術した後、これを除去する必要があるとき、容易に除去することを可能にするための連結環である。
前述した第１ステント１１と第２ステント１２とを連結する縫合糸１９は、通常使用する縫合糸１９に限定されず、人体に無害な、尿による溶解または化学的変性が発生しない金属ワイヤーを使用しても構わない。
図４に示すように、前述した形状記憶合金ワイヤーでできた網目構造の筒状の第１ステント１１および第２ステント１２は、その外周面または内周面に、人体に無害なシリコンやＰＴＦＥなどの材質で形成された被膜層１４を持ってもよい。
この際、前述した第１ステント１１が被膜層１４を持つように構成するのは、本発明の前立腺肥大症患者用ステント１３が尿道２上に施術されるが、その施術位置が肥大した前立腺７がある位置であり、また、肥大した前立腺７を正しい位置に戻して尿道２を拡張するものであるから、前立腺７の一部が第１ステント１１の空間部１８に入り込むことを防止するためである。
このような本発明の前立腺肥大症患者用ステント１３は、通常の施術方法であるカテーテルを介して施術を行う。この際、図５に示すように、本発明の前立腺肥大症患者用ステント１３は、第１ステント１の場合は前立腺７が位置している尿道２上に施術し、肥大した前立腺７の尿道２を押し広げて確保するようにし、前記縫合糸１９の場合は括約筋１７が位置している尿道２上に位置するようにし、前記第２ステント１２の場合は前記括約筋１７の下方に位置するようにする。
一方、前記括約筋１７は、尿道２の外側面に沿って位置しながら尿道２の管路を調節する役目をするので、括約筋１７が位置している尿道部分は括約筋１７によって生理現象を調節するため、その部分は他の尿道部分に比べて狭い管路となっている。
したがって、括約筋１７を中央に置き、その上方の尿道２には第１ステント１１が施術され、その下方の尿度２には第２ステント１２が施術されるため、前記括約筋１７の上方に位置した第１ステント１１は括約筋１７が位置している狭い尿道２を通過して下方に移動することができず、第２ステント１２は括約筋１７が位置している狭い尿道２を通過して上方に移動することができない。また、前記狭い尿道２に前記縫合糸１９が位置しながら、この縫合糸が前記第１ステント１１および第２ステント１２を連結しているので、第１ステント１１および第２ステント１２の施術位置からの逸脱を防止することができる。
このように本発明の前立腺肥大症患者用ステント１３は、肥大した前立腺によって狭くなった尿道を確保してスムーズに排尿できるようにするうえ、排尿または外部からの外力により施術位置が変わることがないという効果を持つ。
したがって、本発明のステントは、上述したようにそれぞれ構成された２つのステントを、一定の間隔を開けて、縫合糸またはこれと類似した機能のワイヤーなどによって互いに連結することにより、一体化した構造のステントであって、前述したように、前立腺肥大症患者に使用される場合にはいずれも本発明の権利範囲に属する。
【符号の説明】
【０００８】
１    尿道用ステント
２    尿道拡張用チューブ
７    前立腺
１１    第１ステント
１２    第２ステント
１３    前立腺肥大症患者用ステント
１４    被膜層
１９    縫合糸
【図１】
2012125562.tif 000003
【図２】
2012125562.tif 000004
【図３】
2012125562.tif 000005
【図４】
2012125562.tif 000006
【図５】
2012125562.tif 000007